(57)【要約】【課題】  簡単な構成で安価に、しかも、確実にＣＲＴのアース接続を行うことができるディスプレ装置を提供することを目的とする。【解決手段】ＣＲＴのアースを、エンドワイヤーを介して取るようにしたディスプレ装置において、エンドワイヤー７に一端が接続されたアースリード線と、アースリード線が接続されるコネクター用アースパターンＥ８１が形成された捨て基板からなるコネクター基板８と、を更に備え、コネクター基板８は、コネクター用アースパターンＥ８１が形成された本体部８１と、コネクター用アースパターンＥ８１と電気的に接続された脚部用アースパターンＥ８３が形成され、メイン基板またはＣＲＴ基板に立ち基板として立設される脚部８３とからなり、コネクター基板８を、メイン基板またはＣＲＴ基板に形成されたアースパターンと、脚部用アースパターＥ８３が導通するように、メイン基板またはＣＲＴ基板に立設し、半田付けする。【選択図】図３
2007178574.tif 000002
【特許請求の範囲】
【請求項１】
メイン基板と、ＣＲＴと、このＣＲＴの背面に装着され、アースパターンが形成されたＣＲＴ基板とを備え、前記ＣＲＴの曲面状裏面に形成された導電部にエンドワイヤーが接するように張設し、前記ＣＲＴのアースを、前記エンドワイヤーを介して取るようにしたディスプレ装置において、
前記エンドワイヤーに一端が接続されたアースリード線と、このアースリード線が接続されるコネクター用アースパターンが形成された捨て基板からなるコネクター基板と、を更に備え、前記コネクター基板は、前記コネクター用アースパターンが形成されているとともに、前記アースリード線を固定するために略Ｅ字形状に形成されたリード線挿入溝を有する本体部と、前記コネクター用アースパターンと電気的に接続された脚部用アースパターンが形成され、前記ＣＲＴ基板に立ち基板として立設される脚部とからなり、前記コネクター基板を、前記ＣＲＴ基板に形成されたアースパターンと、前記脚部用アースパターンが導通するように、前記ＣＲＴ基板に立設し、半田付けしたことを特徴とするディスプレ装置。
【請求項２】
メイン基板と、ＣＲＴと、このＣＲＴの背面に装着されるＣＲＴ基板とを備え、前記ＣＲＴの曲面状裏面に形成された導電部にエンドワイヤーが接するように張設し、前記ＣＲＴのアースを、前記エンドワイヤーを介して取るようにしたディスプレ装置において、
前記エンドワイヤーに一端が接続されたアースリード線と、このアースリード線が接続されるコネクター用アースパターンが形成された捨て基板からなるコネクター基板と、を更に備え、前記コネクター基板は、前記コネクター用アースパターンが形成された本体部と、前記コネクター用アースパターンと電気的に接続された脚部用アースパターンが形成され、前記メイン基板またはＣＲＴ基板に立ち基板として立設される脚部とからなり、前記コネクター基板を、前記メイン基板またはＣＲＴ基板に形成されたアースパターンと、前記脚部用アースパターが導通するように、前記メイン基板またはＣＲＴ基板に立設し、半田付けしたことを特徴とするディスプレ装置。
【請求項３】
前記本体部は、前記アースリード線を固定するために略Ｅ字形状に形成されたリード線挿入溝を有していることを特徴とする請求項２に記載のディスプレ装置。
【請求項４】
前記リード線挿入溝は、前記アースリード線が挿入される先端部分を、テーパー形状に形成したことを特徴とする請求項１または請求項３に記載のディスプレ装置。
【請求項５】
前記リード線挿入溝は、前記アースリード線が挿入される中間部分に、抜け止め用の突起を形成したことを特徴とする請求項１、請求項３または請求項４のいずれかに記載のディスプレ装置。
【請求項６】
前記コネクター基板は、前記コネクター用アースパターンが形成される本体部と、前記脚部と、前記メイン基板またはＣＲＴ基板に立設された際、前記メイン基板またはＣＲＴ基板を挟み込むスライド部とからなり、前記コネクター基板を、前記メイン基板またはＣＲＴ基板に立設した後、スライドさせて前記メイン基板またはＣＲＴ基板を挟み込み、その後、半田付けされることを特徴とする請求項１乃至請求項５のいずれかに記載のディスプレ装置。
【発明の詳細な説明】
【技術分野】
【０００１】
本発明は、例えば、テレビジョンやモニターなどのディスプレ装置に関し、特に、画像を表示するＣＲＴ（Ｃａｔｈｏｄｅ Ｒａｙ Ｔｕｂｅ：陰極線管）の静電防止手段としてのアース接続構造に関するものである。
【背景技術】
【０００２】
従来から、この種ＣＲＴにおいては、ＣＲＴの画像面で高電圧により生じた静電気を、当該ＣＲＴの曲面状裏面に、例えば、導電性塗装により形成した導電部に静電誘導させて、これをアースに落とすことにより、放電せしめ、各種障害を除去するようにしている。
【０００３】
従来、例えば、ＣＲＴの曲面状裏面に形成した導電部に、エンドワイヤーが接するように張設し、このエンドワイヤーに、メイン基板のアースパターンに接続されたコネクタピンに、差込接続されるコネクタハウジングを有するアースリード線を接続するようにしたものがある（以下、単にピン接続方式と称す）。また、ＣＲＴの曲面状裏面に形成した導電部に、メイン基板上のアースパターンに接続し定着した弾性アース板の先端を弾力的に接触せしめるようにしたものがある(例えば、特許文献1参照）。
【特許文献１】実開平３−１１９９４１号公報
【発明の開示】
【発明が解決しようとする課題】
【０００４】
しかし、前述の前者のピン接続方式の構成では、アースリード線をメイン基板のアースパターンに接続するために、アースリード線とは別に、アースリード線に接続されるコネクタハウジングおよびメイン基板上に設けられるコネクタピンが必要となり、その分価格がアップする他、コネクタピンからコネクタハウジングが抜ける恐れがり、確実性の点で問題があった。また、後者の特許文献１記載の構成では、弾性アース板の先端を、ＣＲＴの曲面状裏面に形成した導電部に、弾力的に接触せしめているので、別途、弾性アース板が必要となり、その分価格がアップする。また、その接触状態によっては、アースが充分に取れないことがり、確実性の点で問題があった。
【０００５】
本発明は、上述した問題を解決するためになされたものであり、簡単な構成で安価に、しかも、確実にＣＲＴのアース接続を行うことができるディスプレ装置を提供することを目的とする。
【課題を解決するための手段】
【０００６】
かかる目的を達成するため、本発明では、メイン基板と、ＣＲＴと、このＣＲＴの背面に装着され、アースパターンが形成されたＣＲＴ基板とを備え、ＣＲＴの曲面状裏面に形成された導電部にエンドワイヤーが接するように張設し、ＣＲＴのアースを、エンドワイヤーを介して取るようにしたディスプレ装置において、エンドワイヤーに一端が接続されたアースリード線と、このアースリード線が接続されるコネクター用アースパターンが形成された捨て基板からなるコネクター基板と、を更に備え、コネクター基板は、コネクター用アースパターンが形成されているとともに、アースリード線を固定するために略Ｅ字形状に形成されたリード線挿入溝を有する本体部と、コネクター用アースパターンと電気的に接続された脚部用アースパターンが形成され、ＣＲＴ基板に立ち基板として立設される脚部とからなり、コネクター基板を、ＣＲＴ基板に形成されたアースパターンと、脚部用アースパターンが導通するように、ＣＲＴ基板に立設し、半田付けする。
【０００７】
本明細書において、「捨て基板」とは、原材料となる基板本体から表面に電子部品を実装したメイン基板を取り出す場合に、取り出すメイン基板の形状等の理由から基板本体の周縁などに残る部分や複数の開口部を形成するための部分、更には、デットスペースとして残る部分などをいい、通常廃棄される部分や電子部品が実装されない部分をいう。
【０００８】
この構成によれば、アースリード線を、ＣＲＴ基板のアースパターンに接続するのに、コネクター用アースパターンが形成された捨て基板からなるコネクター基板を用いているので、その構成は、極めて簡単となる。また、コネクター基板は、ＣＲＴ基板に立ち基板として半田付けにより立設されているとともに、アースリード線は、コネクター基板の略Ｅ字形状に形成されたリード線挿入溝により固定されているので、ＣＲＴのアース接続を確実に行うことができる。しかも、コネクター基板は、通常廃棄される捨て基板を利用している。このため、製造コストを増大させることなく上述の効果を得ることができる。加えて、廃材を利用するため、省資源および環境保全の観点からも好ましい効果を得ることができる。
【０００９】
また、本発明においては、メイン基板と、ＣＲＴと、このＣＲＴの背面に装着されるＣＲＴ基板とを備え、ＣＲＴの曲面状裏面に形成された導電部にエンドワイヤーが接するように張設し、ＣＲＴのアースを、エンドワイヤーを介して取るようにしたディスプレ装置において、エンドワイヤーに一端が接続されたアースリード線と、このアースリード線が接続されるコネクター用アースパターンが形成された捨て基板からなるコネクター基板と、を更に備え、コネクター基板は、コネクター用アースパターンが形成された本体部と、コネクター用アースパターンと電気的に接続された脚部用アースパターンが形成され、メイン基板またはＣＲＴ基板に立ち基板として立設される脚部とからなり、コネクター基板を、メイン基板またはＣＲＴ基板に形成されたアースパターンと、脚部用アースパターが導通するように、メイン基板またはＣＲＴ基板に立設し、半田付けする。
【００１０】
この構成によれば、アースリード線を、メイン基板またはＣＲＴ基板のアースパターンに接続するのに、コネクター用アースパターンが形成された捨て基板からなるコネクター基板を用いているので、その構成は、極めて簡単となる。また、コネクター基板は、メイン基板またはＣＲＴ基板に立ち基板として半田付けにより立設されているので、ＣＲＴのアース接続を確実に行うことができる。しかも、コネクター基板は、通常廃棄される捨て基板を利用している。このため、製造コストを増大させることなく上述の効果を得ることができる。加えて、廃材を利用するため、省資源および環境保全の観点からも好ましい効果を得ることができる。
【００１１】
また、本発明においては、本体部は、アースリード線を固定するために略Ｅ字形状に形成されたリード線挿入溝を有している。
【００１２】
この構成によれば、アースリード線は、コネクター基板に形成された略Ｅ字形状のリード線挿入溝により固定されているので、誤って外れる心配がないので、都合がよい。
【００１３】
また、本発明においては、リード線挿入溝は、アースリード線が挿入される先端部分を、テーパー形状に形成する。
【００１４】
この構成によれば、アースリード線が挿入されるリード線挿入溝の先端部分が、テーパー形状に形成されているので、アースリード線をリード線挿入溝に挿入する際、挿入し易く、作業性の向上が図れ、都合がよい。
【００１５】
また、本発明においては、リード線挿入溝は、アースリード線が挿入される中間部分に、抜け止め用の突起を形成する。
【００１６】
この構成によれば、アースリード線が挿入されるリード線挿入溝の中間部分に、抜け止め用の突起が形成されているので、アースリード線は、リード線挿入溝からより外れにくく、作業時に抜けにくくなり、ＣＲＴのアース接続をより確実なものとすることができ、都合がよい。
【００１７】
更に、本発明においては、コネクター基板は、コネクター用アースパターンが形成される本体部と、脚部と、メイン基板またはＣＲＴ基板に立設された際、メイン基板またはＣＲＴ基板を挟み込むスライド部とからなり、コネクター基板を、メイン基板またはＣＲＴ基板に立設した後、スライドさせてメイン基板またはＣＲＴ基板を挟み込み、その後、半田付けする。
【００１８】
この構成によれば、コネクター基板は、スライド部により、メイン基板またはＣＲＴ基板を挟み込んだ状態で、半田付けされるので、コネクター基板をメイン基板またはＣＲＴ基板に、より確実に立設することができ、都合がよい。
【発明の効果】
【００１９】
本発明によれば、簡単な構成で安価に、しかも、確実にＣＲＴのアース接続を行うできるディスプレ装置を得ることができる。
【発明を実施するための最良の形態】
【００２０】
（第１実施形態）
以下、本発明の第１実施形態を図１乃至図５に基づいて説明する。図１は、本発明の第１実施形態に係る電子機器の一例であるテレビジョンの概略構成を示す概略構成図、図２は、図１に示すテレビジョンのフロントケースの背面側から見た背面図、図３は、コネクター基板の一例を示す正面図、図４は、図３に示すコネクター基板にアースリード線を接続した状態を示す正面図、図５は、原材料となる基板本体から図３に示す捨て基板からなるコネクター基板を、取り出す状態を説明するための説明図である。
【００２１】
図１および図２に示すように、このテレビジョン１は、例えば、フロントケース２１と、図示しないリアケースとからなるケース２内に、外部から受信した映像を表示するＣＲＴ３（Ｃａｔｈｏｄｅ Ｒａｙ Ｔｕｂｅ：陰極線管）、フライバックトランス４や図示しない電源ユニット、ＩＣなどを実装するとともに、図示しないアースパターンが形成されたメイン基板５が収納されている。ＣＲＴ３の背面には、アースパターンＥ６１（図５参照）が形成されたＣＲＴ基板６が装着されているとともに、ＣＲＴ３の曲面状裏面３１には、ＣＲＴ３の画像面で高電圧により生じた静電気を、静電誘導するために、例えば、導電性塗装を施して導電部３２を形成している。この導電部３２には、図示する例では、ＣＲＴ３の曲面状裏面３１の上部端部の一方の耳部３３から、下向きに対角線上にＣＲＴ３の曲面状裏面３１の下部端部の一方の耳部３４に、アース用のエンドワイヤー７が接するように張設されている。７１は、必要に応じて用いられるバネで、このバネ７１は、エンドワイヤー７を上述のように張設した際、エンドワイヤー７が曲面状裏面３１の導電部３２に圧設するようにするために用いられる。なお、図中５１は、メイン基板５を支持する支持台である。
【００２２】
而して、本発明に従い、ＣＲＴ３のアースを取るために、図３および図４に示すような捨て基板からなるコネクター基板８が用いられる。このコネクター基板８は、アースリード線９を固定するために略Ｅ字形状に形成されたリード線挿入溝８２が形成された本体部８１と、ＣＲＴ基板６の貫通孔６２（図５参照）に挿通され、立ち基板として立設される脚部８３とから構成されている。本体部８１には、エンドワイヤー７に一端が接続されたアースリード線９が接続されるコネクター用アースパターンＥ８１が形成されている。また、脚部８３には、コネクター用アースパターンＥ８１と電気的に接続された脚部用アースパターンＥ８３が形成されている。この脚部用アースパターンＥ８３は、例えば、コネクター用アースパターンＥ８１を形成する際に、コネクター用アースパターンＥ８１を延設するように形成すればよい。８４は、アースリード線９の先端部を挿入して半田付けするために形成された貫通孔である。８５は、脚部取り付け用の半田部で、この半田部８５は、コネクター基板８を、ＣＲＴ基板６に立設した際に、コネクター基板８を、より確実に取り付けるために形成されたものである。この半田部８５は、コネクター用アースパターンＥ８１および脚部用アースパターンＥ８３と同様、メイン基板５に、所定のプリントパタンなどの回路を作成する際、同時に製作すればよい。このように、アースリード線９が接続されたコネクター基板８を、ＣＲＴ基板６に形成されたアースパターンＥ６１と、脚部用アースパターンＥ８３が導通するように、ＣＲＴ基板６に立設し、半田付けすれば、ＣＲＴ３のアースを取ることができる。なお、図１において１０は、半田付け部分を示す。
【００２３】
また、リード線挿入溝８２のアースリード線９が挿入される先端部分８６を、テーパー形状に形成する。このようにアースリード線９が挿入されるリード線挿入溝８２の先端部分８６を、テーパー形状に形成すると、アースリード線９をリード線挿入溝８２に挿入する際、挿入し易く、作業性の向上が図れ、都合がよい。
【００２４】
また、リード線挿入溝８２のアースリード線９が挿入される中間部分８７に、抜け止め用の突起８８を形成する。このように、アースリード線９が挿入されるリード線挿入溝８２の中間部分８７に、抜け止め用の突起８８を形成すると、アースリード線９は、リード線挿入溝８２からより外れにくく、作業時に抜けにくくなり、ＣＲＴ３のアース接続をより確実なものとすることができ、都合がよい。
【００２５】
次に、図５に基づいて、コネクター基板８を原材料となる基板本体Ａから取り出す状態を説明する。基板本体Ａは、プリント配線板などを製造する際に材料となる板材であって、例えば、紙フェノール（紙を基材としてフェノール樹脂を含浸させたプリプレグを積層、硬化させたもの）からなる。基板本体Ａからは、図示しないが、表面に所定のプリントパタンなどの回路が形成され、表面に電子部品を実装するメイン基板５として切り出される。しかし、取り出すメイン基板５の形状などの理由から、基板本体Ａの周縁などに残る部分や複数の開口部を形成するための部分、更にはデットスペースとして残る部分などメイン基板５の切れ端としての捨て基板Ｂが残る。この捨て基板Ｂは、通常、プリントパタンなどの回路が施されない状態で、そのまま放置されるか、捨てられてしまう。図３に示す捨て基板Ｂからなるコネクター基板８は、このような廃材に、同図に示すような、所定のアースパターンＥ８１、脚部用アースパターンＥ８３および半田部８５を施すとともに、上述したように、略Ｅ字形状に形成されたリード線挿入溝８２が形成された本体部８１および脚部８３などを形成して、基板本体Ａから得たものである。また、図示する例では、ＣＲＴ基板６も同様に、捨て基板Ｂに、図示しないがＣＲＴ３の基板としての機能を備えた回路パターンおよびアースパターンＥ６１などを施すことによって得るようにしたものである。
【００２６】
以上の構成による本実施形態では、アースリード線９を、ＣＲＴ基板６のアースパターンＥ６１に接続するのに、コネクター用アースパターン８１が形成された捨て基板Ｂからなるコネクター基板８を用いているので、その構成は、極めて簡単となる。また、コネクター基板８は、ＣＲＴ基板６に立ち基板として半田付けにより立設されているとともに、アースリード線９は、コネクター基板の略Ｅ字形状のリード線挿入溝８２により固定されているので、ＣＲＴ３のアース接続を確実に行うことができる。しかも、コネクター基板８は、通常廃棄される捨て基板Ｂを利用している。このため、製造コストを増大させることなく上述の効果を得ることができる。加えて、廃材を利用するため、省資源および環境保全の観点からも好ましい効果を得ることができる。
【００２７】
（第２実施形態）
次に、本発明の第２実施形態について図６乃至図８を参照しながら説明する。図６は、本発明の第２実施形態に係る電子機器の一例であるテレビジョンの概略構成を示す概略構成図、図７は、コネクター基板を、メイン基板の貫通孔に挿通した状態を示す要部断面図、図８は、コネクター基板を、メイン基板の貫通孔に挿通した後、コネクター基板をスライドさせ、立ち基板として立設した状態を示す要部断面図である。なお、図６乃至図８において、上述した図１乃至図５と同じ符号を付した部分は、略同一のものを示すため、ここでは詳細な説明は省略する。以下、上述した実施形態との相違点を中心に説明する。
【００２８】
本実施形態では、図６に示す様に、コネクター基板８を、メイン基板５に形成された図示しないアースパターンと、脚部用アースパターＥ８３が導通するように、メイン基板５に立設し、半田付けしたものである。また、このコネクター基板８は、前述した実施形態と同様、アースリード線９を固定するために略Ｅ字形状に形成されたリード線挿入溝８２が形成された本体部８１と、メイン基板５の貫通孔５２に挿通され、立ち基板として立設される脚部８３と、更に、メイン基板５に立設された際、メイン基板５を挟み込む、例えば、コ字状のスライド部８９とから構成されている。
【００２９】
このように構成されたコネクター基板８を、メイン基板５に立設するには、図７に示すように、メイン基板５の貫通孔５２にコネクター基板８の脚部８３を、上方より挿通し（矢印Ｙ方向）、その後、コネクター基板８を左方向（矢印Ｘ方向）にスライドさせ、図８に示すように、コ字状のスライド部８９によりメイン基板５を挟み込むようにし、その後半田付けする。
【００３０】
以上の構成による本実施形態よれば、上述した実施形態と同様の作用効果を奏する他、コネクター基板８は、スライド部８９により、メイン基板５を挟み込んだ状態で、半田付けされるので、コネクター基板８は、メイン基板５により確実に立設することができ、都合がよい。
【００３１】
なお、上述した実施形態は、本発明の好適な実施例であるが、本発明はこれに限定されるものではなく、本発明の要旨を逸脱しない範囲において、種々変形実施可能である。
【００３２】
例えば、上述の実施形態では、テレビジョンを例に挙げて説明したが、本発明は、例えば、モニターなどのディスプレ装置に対しても適用可能である。
【図面の簡単な説明】
【００３３】
【図１】本発明の第１実施形態に係る電子機器の一例であるテレビジョンの概略構成を示す概略構成図である。
【図２】図１に示すテレビジョンのフロントケースの背面側から見た背面図である。
【図３】コネクター基板の一例を示す正面図である。
【図４】図３に示すコネクター基板にアースリード線を接続した状態を示す正面図である。
【図５】原材料となる基板本体から図３に示す捨て基板からなるコネクター基板を、取り出す状態を説明するための説明図である。
【図６】本発明の第２実施形態に係る電子機器の一例であるテレビジョンの概略構成を示す概略構成図である。
【図７】コネクター基板を、メイン基板の貫通孔に挿通した状態を示す要部断面図である。
【図８】コネクター基板を、メイン基板の貫通孔に挿通した後、コネクター基板をスライドさせ、立ち基板として立設した状態を示す要部断面図である。
【符号の説明】
【００３４】
１      ディスプレ装置（テレビジョン）
３      ＣＲＴ
３１    曲面状裏面
３２    導電部
５      メイン基板
５２    貫通孔
６      ＣＲＴ基板
Ｅ６１  アースパターン
７      エンドワイヤー
８      コネクター基板
８１    本体部
Ｅ８１  コネクター用アースパターン
８２    リード線挿入溝
８３    脚部
Ｅ８３  脚部用アースパターン
８６    先端部
８７    中間部
８８    突起
８９    スライド部
９      アースリード線
【図１】
2007178574.tif 000003
【図２】
2007178574.tif 000004
【図３】
2007178574.tif 000005
【図４】
2007178574.tif 000006
【図５】
2007178574.tif 000007
【図６】
2007178574.tif 000008
【図７】
2007178574.tif 000009
【図８】
2007178574.tif 000010